(57)【要約】【課題】調光が容易な照明装置を提供する。【解決手段】照明装置１０の筒状部材２０は、略正十角形に形成され、各辺に収容部２２ａ〜２２ｊがそれぞれ設けられている。収容部２２ａ〜２２ｊのうちの収容部２２ｄ〜２２ｈには、有機ＥＬパネル２７ａ〜２７ｅがそれぞれ設けられている。有機ＥＬパネル２７ａ〜２７ｅは、発光面が照明装置１０（筒状部材２０）の内周面１０ｂとなるように設けられている。また、照明装置１０には、使用者からの操作を検出するためのタッチセンサ２４及び加速度センサが設けられている。制御基板２８の制御部は、各センサ２４からの出力信号に基づいて有機ＥＬパネル２７ａ〜２７ｅの発光状態を制御する。【選択図】図１
2013186986.tif 000002
【特許請求の範囲】
【請求項１】
少なくとも一つの収容部を有する筒状部材と、
前記収容部に設けられ前記筒状部材の内周面及び外周面の少なくとも一方の面が発光面として設定される有機ＥＬパネルと、
使用者からの操作を検出するセンサと、
前記センサからの出力信号に基づいて前記有機ＥＬパネルの発光状態を制御する制御部と、
を備えたことを特徴とする照明装置。
【請求項２】
前記制御部は、前記センサからの出力信号に基づいて前記筒状部材の回転を検出し、前記回転に応じて前記有機ＥＬパネルの発光状態を制御することを特徴とする請求項１に記載の照明装置。
【請求項３】
前記制御部は、前記センサからの出力信号に基づいて前記使用者の前記センサに対する接触を検出し、前記接触に応じて前記有機ＥＬパネルの発光状態を制御することを特徴とする請求項１又は２に記載の照明装置。
【請求項４】
複数の前記有機ＥＬパネルを備え、
複数の前記有機ＥＬパネルは、少なくとも一組の異なる色温度の組み合わせを有し、
前記制御部は、前記センサからの出力信号に基づいて異なる色温度の前記有機ＥＬパネルの点灯状態を切り替えることを特徴とする請求項１〜３のいずれか一項に記載の照明装置。
【請求項５】
前記制御部は、前記センサからの出力信号に基づいて前記有機ＥＬパネルの輝度を制御することを特徴とする請求項１〜４のいずれか一項に記載の照明装置。
【請求項６】
複数の前記有機ＥＬパネルを備え、
前記筒状部材は、複数の前記有機ＥＬパネルが環状に配設されて構成されたことを特徴とする請求項１〜５のいずれか一項に記載の照明装置。
【発明の詳細な説明】
【技術分野】
【０００１】
本発明は、照明装置に関するものである。
【背景技術】
【０００２】
従来、有機エレクトロルミネッセンス素子（有機ＥＬ素子）を有する有機ＥＬパネルを用いた照明装置は、例えば、机の上に設置して使用する照明等の用途に提案されている。このような照明装置として、例えば、机の上に立設された支持部材に対して有機ＥＬパネルが固定され、作業や読書を行う使用者の手元等を照らすように構成されたものがある（例えば、特許文献１参照）。
【先行技術文献】
【特許文献】
【０００３】
【特許文献１】特開２００９−２５９５５０号公報（第６図参照）
【発明の概要】
【発明が解決しようとする課題】
【０００４】
ところで、上記したような照明装置を含め、様々な場所で用いられる照明装置において、有機ＥＬパネルが発光する光を容易に調光できる構成の照明装置が求められている。
本発明は、上記課題を解決するためになされたものであって、その目的は、調光が容易な照明装置を提供することにある。
【課題を解決するための手段】
【０００５】
上記課題を解決するために、本発明の照明装置は、少なくとも一つの収容部を有する筒状部材と、前記収容部に設けられ前記筒状部材の内周面及び外周面の少なくとも一方の面が発光面として設定される有機ＥＬパネルと、使用者からの操作を検出するセンサと、前記センサからの出力信号に基づいて前記有機ＥＬパネルの発光状態を制御する制御部と、を備える。
【０００６】
この照明装置において、前記制御部は、前記センサからの出力信号に基づいて前記筒状部材の回転を検出し、前記回転に応じて前記有機ＥＬパネルの発光状態を制御することが好ましい。
【０００７】
この照明装置において、前記制御部は、前記センサからの出力信号に基づいて前記使用者の前記センサに対する接触を検出し、前記接触に応じて前記有機ＥＬパネルの発光状態を制御することが好ましい。
【０００８】
この照明装置において、複数の前記有機ＥＬパネルを備え、複数の前記有機ＥＬパネルは、少なくとも一組の異なる色温度の組み合わせを有し、前記制御部は、前記センサからの出力信号に基づいて異なる色温度の前記有機ＥＬパネルの点灯状態を切り替えることが好ましい。
【０００９】
この照明装置において、前記制御部は、前記センサからの出力信号に基づいて前記有機ＥＬパネルの輝度を制御することが好ましい。
この照明装置において、複数の前記有機ＥＬパネルを備え、前記筒状部材は、複数の前記有機ＥＬパネルが環状に配設されて構成されたことが好ましい。
【発明の効果】
【００１０】
本発明によれば、調光が容易な照明装置を提供することができる。
【図面の簡単な説明】
【００１１】
【図１】（ａ）は照明装置の正面図、（ｂ）は照明装置の側面図。
【図２】照明装置の構成を説明するためのブロック図。
【図３】照明装置の一部分解斜視図。
【図４】照明装置を側面から見た一部概略断面図。
【図５】（ａ）は有機ＥＬパネルの背面図、（ｂ）は一部概略断面図。
【図６】有機ＥＬパネルの接続状態を示す模式図。
【図７】（ａ）（ｂ）は照明装置の発光状態を説明するための模式図。
【図８】（ａ）〜（ｃ）は別の照明装置の模式図。
【図９】（ａ）〜（ｃ）は別の照明装置の概略構成図。
【発明を実施するための形態】
【００１２】
以下、一実施形態を図１〜図７に従って説明する。尚、添付図面は、構造の概略を説明するためのものであり、実際の大きさを表していない。
図１（ａ）及び図１（ｂ）に示すように、照明装置１０は、例えば、机１１の上に設置する照明装置として用いるものである。図１（ａ）に示すように、照明装置１０は、略正十角形の筒状に形成され、所定の一辺を底辺として机１１上に載置されている。照明装置１０は、筒状部材２０と、カバー部材２１とを有する。筒状部材２０は、正面から見た形状が略正十角形状に形成され、軸方向（図１（ｂ）の左右方向）において軸方向と直交する方向に沿った外径Ｌ１が一定となる筒状に形成されている。筒状部材２０の外径Ｌ１は、例えば２３ｃｍである。また、筒状部材２０の軸方向に沿った幅Ｌ２は、例えば、５５ｍｍである。筒状部材２０の一辺における厚さＬ３は、例えば、７ｍｍである。筒状部材２０の材料は、例えば、ステンレス鋼（ＳＵＳ）である。筒状部材２０の各辺には、外周側から内周面に向かって収容部２２ａ〜２２ｊが凹設されている。
【００１３】
カバー部材２１は、帯状に形成され、各収容部２２ａ〜２２ｊを外周面側から覆うように設けられている。照明装置１０の外周面１０ａは、カバー部材２１と、カバー部材２１に一部が覆われた筒状部材２０とで構成されている。
【００１４】
図１（ａ）に示すように、収容部２２ａには、ウェイト２３ａが収容されている。また、収容部２２ａと隣接する収容部２２ｊには、ウェイト２３ｂが収容されている。ウェイト２３ａ，２３ｂは、照明装置１０を机１１上に安定的に立設するために設けられている。
【００１５】
略十角形状に形成された筒状部材２０の１つの頂点であって、収容部２２ａ，２２ｊ間の部分には、タッチセンサ２４及びコネクタ２５が設けられている。タッチセンサ２４は、例えば、センサ（導電膜）と使用者の指先との間で構成されるコンデンサの静電容量の変化から指先の接触位置を検出するものである。タッチセンサ２４は、筒状部材２０（照明装置１０）の内周面１０ｂに設けられた開口部（図示略）からその一部が露出した状態で固定されている。コネクタ２５は、照明装置１０の動作電力を供給するために設けられている。
【００１６】
収容部２２ｂには、二次電池２６ａが収容されている。また、収容部２２ｉには、二次電池２６ｂが収容されている。二次電池２６ａ，２６ｂは、例えばリチウムイオン電池である。照明装置１０は、これらの二次電池２６ａ，２６ｂに蓄積された電力により動作する。つまり、照明装置１０は、コネクタ２５を介して供給される電力と、二次電池２６ａ，２６ｂに蓄積された電力により動作する。なお、コネクタ２５を介して供給される電力は、二次電池２６ａ，２６ｂを充電するためにも用いられる。
【００１７】
収容部２２ｄ〜２２ｈには、有機ＥＬ素子を有する有機ＥＬパネル２７ａ〜２７ｅが設けられている。収容部２２ｃには、有機ＥＬパネル２７ａ〜２７ｅの発光状態を制御する制御基板２８が設けられている。各収容部２２ｄ，２２ｆ，２２ｈに設けられた有機ＥＬパネル２７ａ，２７ｃ，２７ｅと、各収容部２２ｅ，２２ｇに設けられた有機ＥＬパネル２７ｂ，２７ｄとは、異なる色温度に設定されている。例えば、有機ＥＬパネル２７ａ，２７ｃ，２７ｅの色温度は３０００Ｋ（ケルビン）である。また、有機ＥＬパネル２７ｂ，２７ｄの色温度は５０００Ｋ（ケルビン）である。従って、有機ＥＬパネル２７ａ〜２７ｅは、周方向に沿って互いに異なる色温度の有機ＥＬパネル２７ａ〜２７ｅが交互に配設されている。
【００１８】
次に、照明装置１０の電気的な構成を説明する。
図２に示すように、制御基板２８は、充電回路３１と、電源回路３２と、ＣＰＵ（Central Processing Unit）を含む制御部３３と、加速度センサ３４とを有する。制御基板２８は、コネクタ２５と電気的に接続されている。コネクタ２５は、外部配線４１を介して外部電源（例えば、商用電源）４２に接続される。外部配線４１は、コネクタ２５に対して着脱可能に構成されている。充電回路３１は、制御部３３からの制御に基づいて、外部電源４２から供給される交流電力を直流電力に変換して二次電池２６ａ，２６ｂの充電を行う。
【００１９】
電源回路３２には、直列に接続された有機ＥＬパネル２７ａ，２７ｃ，２７ｅが接続されている。また、電源回路３２には、直列に接続された有機ＥＬパネル２７ｂ，２７ｄが接続されている。電源回路３２は、二次電池２６ａ，２６ｂ、又は外部電源４２からの電力に基づいて動作する。そして、電源回路３２は、制御部３３からの制御に基づいて、上記の２つの直列に接続された有機ＥＬパネル群を個別に駆動する。
【００２０】
また、制御基板２８には、照明装置１０（筒状部材２０）の傾きや振動等を検出するための加速度センサ３４（例えば、３軸加速度センサ）が設けられている。加速度センサ３４の出力信号Ｓ１は、制御部３３に入力される。また、タッチセンサ２４の出力信号Ｓ２は、制御部３３に入力される。制御部３３は、加速度センサ３４及びタッチセンサ２４からの出力信号Ｓ１，Ｓ２に基づいて有機ＥＬパネル２７ａ〜２７ｅの発光状態を制御する。
【００２１】
次に、収容部２２ａ〜２２ｊ及び収容部２２ａ〜２２ｊに設けられた各部材の構成について説明する。有機ＥＬパネル２７ｂ〜２７ｅ（収容部２２ｅ〜２２ｈ）は、有機ＥＬパネル２７ａ（収容部２２ｄ）と同様の構成である。また、収容部２２ａ〜２２ｃ，２２ｉ，２２ｊは、収容部２２ｄの一部を変更した構成である。そのため、以下には、収容部２２ｄの構成を中心に説明する。
【００２２】
図３に示すように、収容部２２ｄは、筒状部材２０の径方向に沿うように凹設され、底部５１と、底部５１の端部部分に設けられ凹設部分を囲むように形成された側壁５２〜５５とで構成されている。収容部２２ｄは、筒状部材２０の径方向における断面形状が略長方形状に形成されている。底部５１は、略長方形枠状に形成されている。底部５１の中央部分に形成された開口部５１ａは、有機ＥＬパネル２７ａの発光部分に応じた平面視略長方形状に形成されている。図４に示すように、開口部５１ａの外周側の部分には、照明装置１０の内周面１０ｂ側から外周面１０ａ側に向かうに従って広がるテーパ部５１ｂが形成されている。開口部５１ａには、その形状に応じた導光板６１が筒状部材２０の外周面１０ａ側から嵌め込まれている。導光板６１の材料は、例えばアクリル樹脂である。開口部５１ａに嵌め込まれた導光板６１の端面６１ａは、内周面１０ｂと面一となっている。
【００２３】
底部５１の短手方向（図４における左右方向）の端部部分には、側壁５２，５３が設けられている。図３に示すように、側壁５２，５３は、筒状部材２０の外周部分に沿って環状に形成されている。側壁５２，５３は、筒状部材２０の径方向に沿って形成され、先端面５２ａ，５３ａが底部５１の主面と平行な方向に沿って形成されている。
【００２４】
底部５１の長手方向の端部（隣接する収容部２２ｃ，２２ｄの頂点となる部分）の主面には、側壁５４が設けられている。側壁５４は、筒状部材２０の軸方向に沿った略直方体状に形成されている。側壁５４は、筒状部材２０の軸方向における断面形状が内周面１０ｂから外周側に向かうに従って周方向の幅が広がる扇状をなしている。側壁５４の外周側の端面５４ａは、側壁５２，５３の先端面５２ａ，５３ａに沿うように曲面で形成されている。側壁５４は、底部５１と直交する方向の長さが側壁５２，５３に比べて短く、端面５４ａが側壁５２，５３の先端面５２ａ，５３ａに比べて内周側の位置となっている。この端面５４ａ上には、カバー部材２１が設けられる。また、側壁５４は、長手方向（筒状部材２０の軸方向）の端部が側壁５２，５３と互いに離間しており、側壁５４と側壁５２，５３との間には溝部５４ｂがそれぞれ形成されている。
【００２５】
底部５１の長手方向の端部（隣接する収容部２２ｄ，２２ｅの頂点となる部分）の主面には、側壁５４と同様に形成された側壁５５が設けられている。側壁５５の端面５５ａは、側壁５２，５３の先端面５２ａ，５３ａに比べて内周側の位置となっている。また、側壁５５と側壁５２，５３との間には溝部５５ｂがそれぞれ形成されている。このように構成された収容部２２ｄには、上記した有機ＥＬパネル２７ａと保護部材６２とが嵌め込まれる。
【００２６】
次に、有機ＥＬパネル２７ａの構成について説明する。
尚、有機ＥＬパネル２７ｂ〜２７ｅは、有機ＥＬパネル２７ａと同様の構成であるため、説明を省略する。図５（ａ）に示すように、有機ＥＬパネル２７ａは、収容部２２ｄの形状に応じた平面視長方形状の透明基板７１を有している。透明基板７１の一主面には、平面視正方形状のカバーガラス７２が、例えば非導電性接着剤により固着されている。カバーガラス７２は、透明基板７１の一主面に形成された有機ＥＬ素子７３を封止する封止部材である。この有機ＥＬパネル２７ａは、透明基板７１の主面のうち、カバーガラス７２が固着されていない面を光出射面（発光面）として用いる面状の発光素子として構成されている。透明基板７１は例えばガラス基板である。尚、透明基板７１にガラス基板以外、例えば透明な樹脂フィルム基板を用いても良い。
【００２７】
図４に示すように、透明基板７１の発光面側には、フィルム６３が設けられている。フィルム６３は、透明基板７１と導光板６１との間に挟まれるように設けられている。このフィルム６３は、有機ＥＬ素子７３から照射される光の透明基板７１からの取り出し効率を向上させるためのものである。
【００２８】
また、図５（ａ）に示すように、透明基板７１の一主面には、有機ＥＬ素子７３に対して給電するための接続基板７４，７５が配設されている。平面視正方形状のカバーガラス７２の一辺の長さは、平面視長方形状の透明基板７１の短辺の長さと等しく設定されている。カバーガラス７２は、透明基板７１の長手方向中央に固着されている。従って、透明基板７１の長手方向両端は、カバーガラス７２から露出している。そして、接続基板７４，７５は、透明基板７１の一主面において、カバーガラス７２から露出した部分に配置されている。接続基板７４，７５は、透明基板７１の辺（短辺）に沿って延びるように形成されている。
【００２９】
図５（ｂ）に示すように、接続基板７４は、導電性を有する接続部材（例えば、異方導電性フィルム（ＡＣＦ：Anisotropic Conductive Film））７６により透明基板７１の一主面に圧着されている。尚、図示しないが、同様に、接続基板７５は、導電性を有する接続部材により透明基板７１の一主面に圧着されている。
【００３０】
図５（ａ）に示すように、接続基板７４の一主面（非接着面）には、複数（図において３つ）の接続端子７４ａ〜７４ｃが形成されている。各接続端子７４ａ〜７４ｃは、有機ＥＬ素子７３の陽極及び陰極（共に図示略）にそれぞれ接続されている。なお、本実施形態において、接続端子７４ａは有機ＥＬ素子７３の陰極と接続され、接続端子７４ｂ，７４ｃは有機ＥＬ素子７３の陽極と接続される。従って、接続基板７４の一端側に陰極に接続される接続端子７４ａが、略中央と他端側に陽極と接続される接続端子７４ｂ，７４ｃが配置される。
【００３１】
同様に、接続基板７５の一主面（非接着面）には、複数（図において３つ）の接続端子７５ａ〜７５ｃが形成されている。そして、各接続端子７５ａ〜７５ｃは、有機ＥＬ素子７３の陽極及び陰極にそれぞれ接続されている。なお、本実施形態において、接続端子７５ａ，７５ｂは有機ＥＬ素子７３の陽極と接続され、接続端子７５ｃは有機ＥＬ素子７３の陰極と接続される。従って、接続基板７５は、接続基板７４とは逆に接続基板７５の一端側（接続端子７４ａ側）と略中央に陽極に接続される接続端子７５ａ，７５ｂが、他端側（接続端子７４ｃ）に陰極と接続される接続端子７５ｃが配置される。有機ＥＬパネル２７ａは、他の有機ＥＬパネル２７ｂ〜２７ｅや制御基板２８と接続するための内部配線６４（図４参照）が所定の接続端子７４ａ〜７４ｃ，７５ａ〜７５ｃと接続されている。また、各接続基板７４，７５の略中央に設けられた接続端子７４ｂ，７５ｂは、内部配線６５（図４参照）により互いに接続されている。内部配線６４，６５は、接続端子７４ａ〜７４ｃ，７５ａ〜７５ｃと、例えば、はんだにより互いに接続されている。
【００３２】
図３に示すように、保護部材６２は、平面視略長方形状の板状に形成され、主面が有機ＥＬパネル２７ａ（透明基板７１）の主面とほぼ同じ大きさで形成されている。図４に示すように、保護部材６２は、カバーガラス７２の上に設けられた保護用フィルム７７を間に挟んで設けられている。保護部材６２は、有機ＥＬパネル２７ａの上に重なるようにして収容部２２ｄに嵌め込まれている。保護用フィルム７７の材料は、例えば銅である。尚、収容部２２ｅ〜２２ｈには、収容部２２ｄと同様に、有機ＥＬパネル２７ｂ〜２７ｅ及び保護部材６２が嵌め込まれている。
【００３３】
保護部材６２には、内部配線６４を配設するための配線溝部６２ａ，６２ｂが短手方向側縁部に形成されている。配線溝部６２ａ，６２ｂは、保護部材６２の長手方向に沿って延びるように形成されている。有機ＥＬパネル２７ａは、接続基板７４，７５が形成された辺が保護部材６２の長手方向端部側となるように設けられている。内部配線６４は、保護部材６２の長手方向の端面において配線溝部６２ａ，６２ｂの開口部から外部に配設され、各収容部２２ａ〜２２ｊの溝部５４ｂ，５５ｂ内に配設されている。
【００３４】
また、図４に示すように、保護部材６２には、短手方向の中央部に長手方向に沿って形成された配線溝部６２ｃが形成されている。この配線溝部６２ｃは、内部配線６５を配設するためのものである。
【００３５】
例えば、図６に示すように、有機ＥＬパネル２７ａ，２７ｃ，２７ｅを、内部配線８１ａ〜８１ｄを介して、有機ＥＬパネル２７ｂ，２７ｄを、内部配線８２ａ〜８２ｃを介して接続する。有機ＥＬパネル２７ａは、陽極の接続端子７４ｃが内部配線８１ａを介して制御基板２８の電源回路３２の陽極側の端子に接続されている。また、有機ＥＬパネル２７ａは、陽極の接続端子７４ｂ，７５ｂが内部配線８３により互いに接続されている。同様に、有機ＥＬパネル２７ｂ〜２７ｅは、陽極の接続端子７４ｂ，７５ｂが内部配線８３により互いに接続されている。
【００３６】
有機ＥＬパネル２７ａの陰極の接続端子７５ｃは、内部配線８１ｂを介して有機ＥＬパネル２７ｃの接続端子７４ｃに接続されている。また、有機ＥＬパネル２７ｃの接続端子７５ｃは、内部配線８１ｃを介して有機ＥＬパネル２７ｅの接続端子７４ｃに接続されている。そして、有機ＥＬパネル２７ｅの接続端子７５ｃは、内部配線８１ｄを介して電源回路３２の陰極側の端子に接続されている。従って、有機ＥＬパネル２７ａ，２７ｃ，２７ｅは、電源回路３２に対して直列に接続されている。尚、有機ＥＬパネル２７ｂ，２７ｄは、有機ＥＬパネル２７ａ，２７ｃ，２７ｅと同様に、内部配線８２ａ〜８２ｃを介して電源回路３２に対して直列に接続されているため説明を省略する。
【００３７】
次に、収容部２２ｄと収容部２２ｃとの構成の差について説明する。図３に示すように、制御基板２８が設けられる収容部２２ｃは、底部５１に開口部が形成されずに内周面１０ｂが鏡面状に構成されており、有機ＥＬパネル２７ａ〜２７ｅから照射される光を反射するように構成されている。収容部２２ｃに嵌め込まれた制御基板２８の外周面１０ａ側には、保護部材６２と同様に構成された保護部材（図示略）が設けられている。また、収容部２２ａ，２２ｂ，２２ｉ，２２ｊは、収容部２２ｃと同様の構成となっており、二次電池２６ａ，２６ｂ及びウェイト２３ａ，２３ｂが嵌め込まれ外周面１０ａ側に保護部材が設けられている。
【００３８】
保護部材６２の外周面１０ａ側には、カバー部材２１が設けられている。カバー部材２１は、短手方向の長さが保護部材６２とほぼ同じ長さに形成され、各収容部２２ａ〜２２ｊの保護部材（保護部材６２を含む）の外周面を覆うように設けられている。尚、カバー部材２１の両端部は、所定の収容部２２ａ〜２２ｊに設けられた側壁５４，５５及び保護部材の外周面に固定、例えば、接着固定されている。
【００３９】
次に、照明装置１０の作用を説明する。
まず、消灯状態において、使用者が図２に示すタッチセンサ２４に触れる（タッピングする等）と、制御基板２８の制御部３３は、タッチセンサ２４からの出力信号Ｓ２に基づいて電源回路３２を制御する。電源回路３２は、制御部３３からの制御に基づいて、収容部２２ｄ，２２ｆ，２２ｈの有機ＥＬパネル２７ａ，２７ｃ，２７ｅに駆動電力を供給して点灯させる（図７（ａ）参照）。
【００４０】
次いで、この点灯状態において、例えば、使用者が図７（ａ）に示す矢印の方向に照明装置１０を回転させると、制御部３３は、加速度センサ３４からの出力信号Ｓ１に基づいて照明装置１０が所定の範囲以上に傾いたことを検出する。制御部３３は、電源回路３２を制御して、有機ＥＬパネル２７ａ，２７ｃ，２７ｅを消灯させ、収容部２２ｅ，２２ｇの有機ＥＬパネル２７ｂ，２７ｄを点灯させる。図７（ｂ）に示すように、照明装置１０は、有機ＥＬパネル２７ａ，２７ｃ，２７ｅと色温度が異なる有機ＥＬパネル２７ｂ，２７ｄが点灯する。
【００４１】
また、照明装置１０は、使用者により図７（ｂ）に示す状態から図７（ａ）に示す状態に回転させられた場合には、点灯する有機ＥＬパネルを、有機ＥＬパネル２７ｂ，２７ｄから有機ＥＬパネル２７ａ，２７ｃ，２７ｅに変更する。従って、使用者は、照明装置１０を回転させるだけで、照明装置１０の色温度を容易に変更することができる。尚、制御部３３を、加速度センサ３４からの出力信号Ｓ１に基づいて照明装置１０の振動を検出する設定としてもよい。この場合には、照明装置１０に対して使用者により衝撃（例えば、照明装置１０を叩くことによる衝撃等）が加えられたことを検出して、照明装置１０の色温度を変更することができる。
【００４２】
次いで、例えば、図７（ｂ）に示す点灯状態において、使用者がタッチセンサ２４（図２参照）に触れると、制御部３３がタッチセンサ２４からの出力信号Ｓ２に基づいて有機ＥＬパネル２７ｂ，２７ｄを消灯させる。照明装置１０は、すべての有機ＥＬパネル２７ａ〜２７ｅが消灯する。
【００４３】
この実施形態は、以下の効果を奏する。
（１）本実施形態の照明装置１０の筒状部材２０は、略正十角形に形成され、各辺に収容部２２ａ〜２２ｊがそれぞれ設けられている。収容部２２ａ〜２２ｊのうちの収容部２２ｄ〜２２ｈには、有機ＥＬパネル２７ａ〜２７ｅがそれぞれ設けられている。有機ＥＬパネル２７ａ〜２７ｅは、発光面が照明装置１０（筒状部材２０）の内周面１０ｂとなるように設けられている。また、照明装置１０には、使用者からの操作を検出するためのタッチセンサ２４及び加速度センサ３４が設けられている。そして、制御基板２８の制御部３３は、各センサ２４，３４からの出力信号Ｓ１，Ｓ２に基づいて有機ＥＬパネル２７ａ〜２７ｅの発光状態を制御する。このような構成では、照明装置１０に対する使用者による様々な操作（回転、タッピング等）を各センサ２４，３４を用いて検出して有機ＥＬパネル２７ａ〜２７ｅの発光状態を制御することができ、容易に調光可能な照明装置１０を構成することができる。
【００４４】
（２）制御部３３は、加速度センサ３４からの出力信号Ｓ１に基づいて、使用者により照明装置１０に対する回転や振動等の操作が行われたことを検出する。そして、制御部３３は、この操作に応じて有機ＥＬパネル２７ａ〜２７ｅの発光状態を制御（例えば、点灯する有機ＥＬパネル２７ａ〜２７ｅを変更）する。従って、使用者は、照明装置１０を回転させる等の簡単な操作を行うだけで調光することができる。
【００４５】
（３）制御部３３は、タッチセンサ２４からの出力信号Ｓ２に基づいて、使用者のタッチセンサ２４に対する接触（操作）を検出する。そして、制御部３３は、この操作に応じて有機ＥＬパネル２７ａ〜２７ｅの発光状態（例えば、全ての有機ＥＬパネル２７ａ〜２７ｅの点灯状態）を制御する。従って、使用者は、タッチセンサ２４に対してタッピング等の容易な操作を行うだけで調光することができる。
【００４６】
（４）照明装置１０は、有機ＥＬパネル２７ａ，２７ｃ，２７ｅと、有機ＥＬパネル２７ａ，２７ｃ，２７ｅと異なる色温度に設定された有機ＥＬパネル２７ｂ，２７ｄとを備える。制御部３３は、加速度センサ３４からの出力信号Ｓ１に基づいて照明装置１０の回転に応じて有機ＥＬパネル２７ａ，２７ｃ，２７ｅと有機ＥＬパネル２７ｂ，２７ｄとの点灯状態を切り替える。従って、使用者は、容易に照明装置１０の色温度を変更することができる。
【００４７】
（５）照明装置１０は、略正十角形に形成された筒状部材２０に対して複数の有機ＥＬパネル２７ａ〜２７ｅを各辺に設けて環状に配設されている。このような構成では、意匠性が高い照明装置１０を構成することができる。
【００４８】
（６）照明装置１０は、光源として面状に形成された有機ＥＬパネル２７ａ〜２７ｅが用いられており、点光源を用いた他の照明装置に比べて使用者の手元等に陰が形成されるのを低減できる。さらに、複数の面状光源（有機ＥＬパネル２７ａ〜２７ｅ）を異なる角度で設けたことにより、より一層陰が形成されるのを低減できる。従って、使用者にとってより好適な照明装置１０とすることができる。
【００４９】
尚、本発明の実施形態は、以下のように変更してもよい。
・照明装置１０（筒状部材２０）の形状は、例えば、図８（ａ）に示すように、筒状部材２０を側面から見た形状が照明装置１０の軸方向の一方側に傾斜した形状となるように構成してもよい。また、図８（ｂ）に示すように、照明装置１０は、有機ＥＬパネル２７ａ〜２７ｅの平面方向が照明装置１０の軸方向に対して所定の角度だけ傾いた構成としてもよい。また、図８（ｃ）に示すように、照明装置１０は、筒状部材２０の上側部分（図中において上側部分）が下側部分に対して所定の角度傾いた構成としてもよい。尚、筒状部材２０の形状は、他の多角形（九角形等）に変更してもよい。また、ひし形、台形、円等に変更してもよい。
【００５０】
・照明装置１０（筒状部材２０）を変形可能な構成としてもよい。例えば、筒状部材２０の各頂点にヒンジ等の連結部材を設けて各収容部２２ａ〜２２ｊを互いに接続した構成としてもよい。また、筒状部材２０を、任意の一つの頂点で隣り合う収容部２２ａ〜２２ｊを接離可能に構成する。このような構成では、使用者が一つの頂点で隣り合う収容部２２ａ〜２２ｊを切り離すことで、筒状部材２０の形状を平面状等の他の形状に変形することが可能となる。なお、連結部材の数や設ける位置、接離可能な部分等は適宜変更してもよい。
【００５１】
また、例えば、筒状部材２０の上側部分が下側（底辺側）部分に対して回転可能な構成としてもよい。例えば、有機ＥＬパネル２７ａ〜２７ｅを有する収容部２２ｄ〜２２ｈを、他の収容部２２ａ〜２２ｃ，２２ｉ，２２ｊに対して、収容部２２ｈ，２２ｉ間の頂点に軸を設けてその軸により回動可能に支持する。このような構成では、収容部２２ｄ〜２２ｈを回転させて有機ＥＬパネル２７ａ〜２７ｅの発光面（筒状部材２０の内周面１０ｂ）を外側に向けることで、照明装置１０が室内を照らす照明装置として構成できる。
【００５２】
・筒状部材２０は、ステンレス鋼に限らず、他の金属や樹脂等で構成してもよい。
・上記実施形態における制御部３３による発光状態の制御は、一例であり適宜変更してもよい。例えば、制御部３３は、照明装置１０の振動を検出し、全ての有機ＥＬパネル２７ａ〜２７ｅを点灯、又は消灯する制御を行ってもよい。この場合には、使用者は、照明装置１０を叩く等することで、有機ＥＬパネル２７ａ〜２７ｅの点灯状態を変更できる。また、制御部３３は、照明装置１０の回転を検出し、全ての有機ＥＬパネル２７ａ〜２７ｅを点灯、又は消灯する制御を行ってもよい。また、制御部３３は、タッピングを検出して点灯する有機ＥＬパネル２７ａ〜２７ｅを変更、即ち色温度を変更する制御を行ってもよい。
【００５３】
また、制御部３３は、有機ＥＬパネル２７ａ〜２７ｅの輝度を変更する制御を行ってもよい。例えば、制御部３３は、照明装置１０の回転に基づいて点灯している有機ＥＬパネル２７ａ〜２７ｅの輝度を変更する制御を行ってもよい。これにより、使用者は、例えば照明装置１０を設置した室内の明るさに応じて有機ＥＬパネル２７ａ〜２７ｅの輝度を容易に変更（調光）することができる。尚、輝度の変更は、例えば、有機ＥＬ素子７３に駆動電流を供給する時間（駆動電流のデューティ比）を変更して制御してもよい。また、有機ＥＬ素子７３に供給する駆動電流（例えば、出力電流）の大きさを変更して制御してもよい。
【００５４】
また、制御部３３は、照明装置１０に対する所定の操作を判定して調光を行う構成としてもよい。例えば、制御基板２８にメモリ等の記憶装置を搭載し、使用者により所定の操作（例えば、照明装置１０を持ち上げて故意振る動作）が行われている間の加速度センサ３４からの出力信号Ｓ１を記憶する構成としてもよい。このような構成では、制御部３３は、メモリに記憶された出力信号Ｓ１のパターンに基づいて使用者による所定の操作を判定して調光を行うことができる。
【００５５】
・センサ２４，３４として他の種類のセンサを用いてもよい。例えば、タッチセンサ２４は、静電容量の変化を用いるものに限らず、センサに対する圧力を検出するもの（感圧式）を用いてもよい。また、角速度センサを用いて、照明装置１０の回転を検出可能な構成としてもよい。また、フォトセンサ、圧力センサ、マイクロスイッチ等を、例えば、収容部２２ａ，２２ｊの外周面１０ａに設けて照明装置１０の回転が検出可能な構成としてもよい。
【００５６】
また、使用者の非接触な操作を検出する構成としてもよい。例えば、照明装置１０の
内周面１０ｂに赤外線センサを設けて、使用者が筒状部材２０の環状部分に手を挿入したことを検出する構成としてもよい。
【００５７】
つまり、検出したい操作（動作）に応じて、センサの種類、設置位置、検出するための閾値等を適宜変更してもよい。
・センサの数を適宜変更してもよい。例えば、図９（ａ）に示すように、収容部２２ａ，２２ｂのそれぞれにタッチセンサ２４ａ，２４ｂを備えた構成としてもよい。図９に示す照明装置９１は、収容部２２ａの内周面１０ｂにタッチセンサ２４ａが設けられている。また、収容部２２ｂの内周面１０ｂにタッチセンサ２４ｂが設けられている。例えば、制御部３３（図２参照）は、タッチセンサ２４ａに対して使用者が指をスライドさせる動作を検出し、指の移動方向や移動量に応じて有機ＥＬパネル２７ａ〜２７ｅの輝度を制御する設定としてもよい。また、例えば、制御部３３は、タッチセンサ２４ｂに使用者の指が触れたことを検出し、有機ＥＬパネル２７ａ〜２７ｅを消灯させる設定としてもよい（図９（ｂ）参照）。このような構成では、複数のセンサ２４ａ，２４ｂを組み合わせることで有機ＥＬパネル２７ａ〜２７ｅに対してより多様な制御を行うことが可能となる。
【００５８】
・上記実施形態では、照明装置１０を机１１上に直接載置する構成としたが、例えば、照明装置１０に脚部を設けて、机１１の上に脚部を介して載置する構成としてもよい。
また、例えば、図９（ｃ）に示すように、天井等から吊り下げて用いる照明装置として構成してもよい。図９（ｃ）に示す照明装置９２は、天井（図示略）に接続された外部配線４１ａにより吊り下げられた状態で設置される。また、外部配線４１ａは、天井に設けられたコネクタ（図示略）に接続されており、照明装置９２が外部配線４１ａを介して電力が供給される。照明装置９２は、収容部２２ａの内周面１０ｂに設けられたタッチセンサ２４ｃに対する操作に基づいて有機ＥＬパネル２７ａ〜２７ｅの発光状態を制御する。このような構成では、天井から吊り下げる態様で用いる照明装置９２において調光が容易な照明装置を構成することができる。
【００５９】
・上記実施形態において、各センサ２４，３４の設ける位置を適宜変更してもよい。例えば、タッチセンサ２４を透明基板で構成し有機ＥＬパネル２７ａ〜２７ｅの発光面に設けた構成としてもよい。照明装置１０は、発光素子として有機ＥＬ素子７３（有機ＥＬパネル２７ａ〜２７ｅ）を用いたことで、ＬＥＤ等の他の発光素子に比べて光源における発熱を抑えることが可能となる。従って、タッチセンサ２４を発光面等に設けることで、光源、又は光源の近傍に使用者が直接触れて操作できる照明装置１０を構成することができる。
【００６０】
・外周面１０ａが発光面となるように各部材の構成を適宜変更してもよい。また、内周面１０ｂ及び外周面１０ａの両方が発光面となるように構成を変更してもよい。
・有機ＥＬパネル２７ａ〜２７ｅの数を適宜変更、４個以下、又は６個以上備えた構成に変更してもよい。また、各有機ＥＬパネル２７ａ〜２７ｅの色温度を適宜変更してもよい。
【００６１】
・制御部３３が点灯させる有機ＥＬパネル２７ａ〜２７ｅの数（比率）を適宜変更してもよい。
・照明装置１０に対する給電を非接触により行う構成としてもよい。
【００６２】
・外部電源４２として直流電源を用いてもよい。この場合、図２に示す電源回路３２等を直流電源に対応するものとする。
【符号の説明】
【００６３】
１０…照明装置、２２ａ〜２２ｊ…収容部、１０ａ…外周面、１０ｂ…内周面、２０…筒状部材、２７ａ〜２７ｅ…有機ＥＬパネル、２４，２４ａ〜２４ｃ…タッチセンサ（センサ）、３３…制御部、３４…加速度センサ（センサ）、Ｓ１，Ｓ２…出力信号。
【図１】
2013186986.tif 000003
【図２】
2013186986.tif 000004
【図３】
2013186986.tif 000005
【図４】
2013186986.tif 000006
【図５】
2013186986.tif 000007
【図６】
2013186986.tif 000008
【図７】
2013186986.tif 000009
【図８】
2013186986.tif 000010
【図９】
2013186986.tif 000011